(57)【要約】      （修正有）【課題】ブラジャーを使用する全ての女性に、いかにしてブラジャー使用の際に、適切な時間に、適切な心地よさを提供して、乳房が受ける圧力を軽減できるかが、問題解決の鍵となる。【解決手段】マッサージ機能のあるブラジャー１は、カップの中に隠された弾力性を有する充填層の電子バイブレーター１２が適時に振動し、元々弾力性のある弾力性を有する充填層１１が連動して均一に振動波を発生させると同時に、その振動を直接カップ１０内の乳房に伝えることで、乳房全体に対して、心地よく、圧迫感をやわらげるマッサージを行うという特長がある。【選択図】図１
0003141690.tif 000002
【実用新案登録請求の範囲】
【請求項１】
ブラジャーのカップ、弾力性を有する充填層、電子バイブレーター、電池、電子回路及び電源スイッチからなり、
電子バイブレーターがブラジャーのカップ内に設置されていて、電池の電気供給及び電子回路、電源スイッチの組み合わせによってコントロールすることで、電子バイブレーターを振動させ、ブラジャーのカップが連動して振動波を乳房に提供するという特長を持つ、マッサージ機能のあるブラジャーの構造。
【請求項２】
電子バイブレーターがブラジャーのカップの弾力性を有する充填層に隠されている、請求項１に記載のマッサージ機能のあるブラジャーの構造。
【請求項３】
電子回路が小型回路板から構成されていて、電池、電源スイッチと共に、ブラジャーのカップの弾力性を有する充填層に隠されている、請求項１に記載のマッサージ機能のあるブラジャーの構造。
【請求項４】
電子回路が充電コネクターを設置することで電池を充電するようになっている、請求項１に記載のマッサージ機能のあるブラジャーの構造。
【請求項５】
電子回路、電池、電源スイッチ、充電コネクターが、ブラジャーのカップのいかなる位置にも設置が可能な、請求項１あるいは請求項４に記載のマッサージ機能のあるブラジャーの構造。
【考案の詳細な説明】
【技術分野】
【０００１】
本考案はマッサージ機能のあるブラジャーの構造に関する。本考案のマッサージ機能のあるブラジャーは、構造がシンプルで、使用方法が簡単且つ便利で、直接ブラジャーに組み込んで、乳房にマッサージ効果をもたらすことができるので、実用的、理想的且つ進歩的であり、これまでにないマッサージ機能のあるブラジャー構造である。
【背景技術】
【０００２】
女性のブラジャーは、元々下着としての機能である。しかしながら、人間の考えは刻々と変化し、新しいものを求める。女性のブラジャーも、単純に下着として着用する外、外見の美しさも追及されるようになり、つけ心地のよさや美観も要求される。また、女性のブラジャーは材質あるいはデザインにかかわらず、乳房を受け止め、乳房の位置を固定するために、ほとんどが弾力性のあるベルトが使用されている。
【考案の開示】
【考案が解決しようとする課題】
【０００３】
この弾力性のあるベルトは乳房をある程度支える効果はあるものの、乳房に対して多少の拘束を与えることは事実である。そこで、ブラジャーを使用する全ての女性に、いかにしてブラジャー使用の際に、適切な時間に、適切な心地よさを提供して、乳房が受ける圧力を軽減できるかが、問題解決の鍵となるであろう。
【課題を解決するための手段】
【０００４】
本考案のマッサージ機能のあるブラジャーは、カップの中に隠された弾力性を有する充填層の電子バイブレーターが適時に振動し、元々弾力性のある弾力性を有する充填層が連動して均一に振動波を発生させると同時に、その振動を直接カップ内の乳房に伝えることで、乳房全体に対して、心地よく、圧迫感をやわらげるマッサージを行うという特長がある。
【考案の効果】
【０００５】
本考案のマッサージ機能のあるブラジャーは、カップの中に隠された弾力性を有する充填層の電子バイブレーターが適時に振動し、元々弾力性のある弾力性を有する充填層が連動して均一に振動波を発生させると同時に、その振動を直接カップ内の乳房に伝えることで、乳房全体に対して、心地よく、圧迫感をやわらげるマッサージを行うという特長がある。本考案のマッサージ機能のあるブラジャーは、構造がシンプルで、使用方法が簡単且つ便利で、直接ブラジャーに組み込んで、乳房にマッサージ効果をもたらすことができるので、実用的、理想的且つ進歩的であり、これまでにないマッサージ機能のあるブラジャー構造である。
【考案を実施するための最良の形態】
【０００６】
図１、図２を参照いただきたい。本考案のブラジャー１の二つのカップ１０内の弾力性を有する充填層１１（例えば、シリコン、スポンジ）には、電子バイブレター１２が隠されている。この電子バイブレター１２は、電子回路１３によってコントロールされる。この電子回路１３は電源スイッチ１４、充電コネクター１５及び電池１６からなる。この電池１６は、体積が小さく、蓄電量が高い電池（例えば、リチウム電池）で、ブラジャー１のいかなる位置（本考案は電池１６がブラジャーのカップ１０の下の縁の形状により、弾力性を有する充填層１１に隠されているという実施例が提示してあり、着用時の美観やつけ心地には何ら影響がない）にも設置可能である。電子回路１３は小型回路板からなり、ブラジャー1のいかなる位置（本考案は電子回路１３がブラジャーのカップ１０の弾力性を有する充填層１１に隠されているという実施例が提示してある）にも設置可能である。また、電源スイッチ１４及び充電コネクター１５もまたブラジャー１のいかなる位置（本考案はそれらを、それぞれ左右のブラジャーのカップ１０のつないだ位置に設置してあるため、操作が便利である）にも設置可能である。
【０００７】
上述の構成を利用しているところの本考案は、充電コネクター１５によって随時電池１６を充電することができる。電池１６が電気を供給し、電源スイッチ１４、電子回路１３のコントロール及び組み合わせにより、この電子バイブレーター１２の振動をコントロールする。そして、本考案のブラジャー１を着用して、電源スイッチ１４を入れると、ブラジャーのカップ１０の弾力性を有する充填層１１の電子バイブレーター１２が自動的に振動を発生させて、弾力性を有する充填層１１自身もまた弾力性作用及び柔軟性があるという特性により、電子バイブレーター１２が振動動作を発生させ、直接弾力性を有する充填層１１全体を連動させ、均一に振動波を発生させる。さらに、ブラジャーのカップ１０は乳房を受け止め、覆っていることにより、弾力性を有する充填層１１が均一に振動波を発生して直接乳房に提供し、乳房に対して心地よいマッサージを施す。そして、ブラジャー１の弾力性のあるベルト１８は、乳房に与える束縛と締め付けをやわらげる効果がある。
【０００８】
上述の本考案のブラジャーを実際に使用する際、使用者は、電源スイッチ１４によって、電子バイブレーター１２を随時停止させて、乳房へのマッサージを停止することも可能である。
【図面の簡単な説明】
【０００９】
【図１】本考案のブラジャーを前から見た図である。
【図２】本考案のブラジャーを側面から見た図である。
【符号の説明】
【００１０】
１          ブラジャー
１０        ブラジャーのカップ
１１        弾力性を有する充填層
１２        電子バイブレーター
１３        電子回路
１４        電源スイッチ
１５        充電コネクターー
１６        電池
１８        弾力性のあるベルト
【図１】
0003141690.tif 000003
【図２】
0003141690.tif 000004